(57)【特許請求の範囲】
【請求項１】
リール本体に回転可能に設けられたハンドル軸に連結されたアーム部と、前記アーム部の端部に止着された金属製の支軸と、前記支軸に回転自在に取り付けられたハンドルノブと、を備えた魚釣用リールのハンドルであって、
前記ハンドルノブには、前記ハンドルノブを挟持する指に直接接触するように前記支軸が露出しており、
前記ハンドルノブは、前記支軸に直交する方向に凹設された凹部を有しており、
前記支軸は、前記凹部内または前記凹部内から前記凹部外に露出していることを特徴とする魚釣用リールのハンドル。
【請求項２】
前記支軸が前記凹部内に露出している構成において、
前記支軸に直交する方向の断面における、前記凹部の内側部と前記支軸の外面との位置関係は、指の腹の曲面に対応したものとなっていることを特徴とする請求項１に記載の魚釣用リールのハンドル。
【請求項３】
前記支軸は、前記ハンドルノブの軸方向延出端に露出していることを特徴とする請求項１または請求項２に記載の魚釣用リールのハンドル。
【請求項４】
魚釣用リールのアーム部に止着された金属製の支軸に回転可能に取り付けられ、手の指に挟持される挟持部を備えたハンドルノブであって、
前記挟持部は、前記支軸に直交する方向に凹設された凹部を有しており、
前記挟持部には、前記挟持部を挟持する指に直接接触するように前記支軸が前記凹部内または前記凹部内から前記凹部外に露出する状態に配置されることを特徴とするハンドルノブ。
【発明の詳細な説明】
【技術分野】
【０００１】
本発明は、魚釣用リールのハンドルおよびハンドルノブに関する。
【背景技術】
【０００２】
一般に、魚釣用リールのハンドルは、アーム部と、ハンドルノブとを備えて構成される。アーム部は、リール本体に回転可能に設けられたハンドル軸（駆動軸）の端部に取付固定される。ハンドルノブは、巻き取り操作時に指で摘む（挟持する）部分であり、アーム部の端部に支軸を介して回転自在に支持されている。
【０００３】
ここで、魚釣用リールを用いた魚釣り、特に投げ釣りにおいて、釣人は、多くの場合、目的のポイントへ仕掛け（ルアーフィッシングにおいてはルアー等）をキャストして着水させた後、魚釣用リールのハンドルの回転操作により釣糸の巻き取り速度を加減しつつ仕掛けを手前に取り込む操作を行う。その際、ハンドルノブを挟持している指を通じて魚の当り（魚が仕掛けに掛かった際に釣糸を通じて伝わる振動）や水底の様子（凹凸状態）等を感知しようとする。
【０００４】
しかし、魚の当り等が微妙であることに加え、一般にハンドルノブは、ゴム、軟質樹脂、コルク等の緩衝作用を有する材料で形成され、アーム部の支軸の外周に回転自在に支持される構造であるため、ハンドルノブを挟持している指を通して魚の当りを感知することは難しい。
【０００５】
そこで、ハンドルノブに対して高感度部材を用いたものが知られている（例えば、特許文献１参照）。
このような好感度部材を用いることにより、ハンドルノブを挟持している指を通して魚の当りを好適に感知することが可能となる。
【先行技術文献】
【特許文献】
【０００６】
【特許文献１】特開２００９−２７８８９７号公報
【発明の概要】
【発明が解決しようとする課題】
【０００７】
ところで、一般に高感度部材は高比重の部材であるため、特許文献１のようにハンドルノブに用いると、ハンドルノブの重量が増大することとなる。ハンドルノブは、ハンドル軸から離れた端部に配置されているため、ハンドルノブの重量の増大は、ハンドル軸周りの慣性力の増大につながり、慣性によってハンドルが回転し続けようとする力が大きくなる。このため、感度の低下を来たしていた。
【０００８】
本発明は、前記問題を解決するためになされたものであり、ハンドル軸周りの慣性力を軽減することができ、ハンドルノブを挟持している指を通して魚の当りを好適に感知することができる魚釣用リールのハンドルおよびハンドルノブを提供することを課題とする。
【課題を解決するための手段】
【０００９】
このような課題を解決する本発明の魚釣用リールのハンドルは、リール本体に回転可能に設けられたハンドル軸に連結されたアーム部と、前記アーム部の端部に止着された金属製の支軸と、前記支軸に回転自在に取り付けられたハンドルノブと、を備えた魚釣用リールのハンドルであって、前記ハンドルノブには、前記ハンドルノブを挟持する指に直接接触するように前記支軸が露出しており、前記ハンドルノブは、前記支軸に直交する方向に凹設された凹部を有しており、前記支軸は、前記凹部内または前記凹部内から前記凹部外に露出していることを特徴とする。
【００１０】
この魚釣用リールのハンドルによれば、ハンドルノブを挟持する指で、ハンドルノブに露出している支軸を直接触れることができ、支軸を指で直接触れながらハンドルの回転操作等を行うことができる。
【００１２】
また、ハンドルノブに設けられた凹部を通じて、凹部内に露出している支軸を指で直接触れることができ、または、凹部を通じて凹部内から凹部外に露出している支軸を指で直接触れることができ、凹部に指を添えつつ支軸を指で直接触れながらハンドルの回転操作等を行うことができる。
【００１３】
また、本発明の魚釣用リールのハンドルは、前記支軸が前記凹部内に露出している構成において、前記支軸に直交する方向の断面における、前記凹部の内側部と前記支軸の外面との位置関係は、指の腹の曲面に対応したものとなっていることを特徴とする。
【００１４】
この魚釣用リールのハンドルによれば、ハンドルノブの凹部を指で挟持すると、指の腹が凹部の内側部に触れつつ支軸の外面に触れる状態となり、ハンドルノブをしっかりと挟持しながらソフトに支軸に触れることができる。
【００１５】
また、本発明の魚釣用リールのハンドルは、前記支軸が、前記ハンドルノブの軸方向延出端に露出していることを特徴とする。
ここで、支軸には、支軸に螺合されて支軸と一体的にされたねじ等も含まれる。
【００１６】
この魚釣用リールのハンドルによれば、ハンドルノブを挟持する指で、ハンドルノブの軸方向延出端に露出している支軸を直接触れることができ、支軸を指で直接触れながらハンドルの回転操作等を行うことができる。
【００１７】
また、本発明のハンドルノブは、魚釣用リールのアーム部に止着された金属製の支軸に回転可能に取り付けられ、手の指に挟持される挟持部を備えたハンドルノブであって、前記挟持部は、前記支軸に直交する方向に凹設された凹部を有しており、前記挟持部には、前記挟持部を挟持する指に直接接触するように前記支軸が前記凹部内または前記凹部内から前記凹部外に露出する状態に配置されることを特徴とする。
【００１８】
このハンドルノブによれば、ハンドルノブを挟持する指で、挟持部の凹部内または凹部内から凹部外に露出している支軸を直接触れることができ、支軸を指で直接触れながらアーム部の回転操作等を行うことができる。
【発明の効果】
【００１９】
本発明の魚釣用リールのハンドルによれば、ハンドルノブが凹部を有しており、支軸が、凹部内または凹部内から凹部外に露出しているので、凹部を通じて支軸を指で直接触れることができ、凹部に指を添えつつ支軸を指で直接触れながらハンドルの回転操作等を行うことができるので、ハンドルの操作性や保持性に優れるとともに、支軸を通じて伝わってくる魚の当たりを、ハンドルノブを挟持した指でダイレクトに感知することができる。
【００２０】
ハンドルノブを挟持した指で魚の当たりを的確に感知することができるので、従来のようにハンドルノブに対して好感度部材を用いる必要がない。これにより、ハンドルノブの重量の軽減を図ることができ、ハンドルノブの重量の軽減に伴うハンドル軸周りの慣性力を低減することが可能となる。したがって、その慣性力によってハンドルが回転し続けようとする力を小さくすることができ、感度を向上させることができる。
【００２２】
また、凹部によりハンドルノブの重量の軽減を図ることができ、ハンドル軸周りの慣性力を低減することが可能となる。したがって、その慣性力によってハンドルが回転し続けようとする力を小さくすることができ、感度を向上させることができる。
【００２３】
また、支軸が凹部内に露出している構成において、支軸に直交する方向の断面における、凹部の内側部と前記支軸の外面との位置関係が、指の腹の曲面に対応したものとなっている構成では、ハンドルノブの凹部を指で挟持すると、指の腹が凹部の内側部に触れつつ支軸の外面に触れる状態となり、ハンドルノブをしっかりと挟持しながらソフトに支軸に触れることができる。したがって、ハンドルの回転操作性に優れ、支軸を通じて指に伝わる魚の当たりを的確に感知することができる。
【００２４】
また、支軸がハンドルノブの軸方向延出端に露出している構成では、ハンドルノブを挟持する指で、ハンドルノブの軸方向延出端に露出している支軸を直接触れることができるので、ハンドルの回転操作時等に支軸を通じて伝わってくる魚の当たりを、ハンドルノブを挟持した指でダイレクトに感知することができる。
【００２５】
また、本発明のハンドルノブによれば、ハンドルノブの挟持部を挟持する指で、凹部内または凹部内から凹部外に露出する状態に配置される支軸を直接触れることができので、ハンドルの回転操作時等に、ハンドル軸からアーム部に伝わる魚の当たりをダイレクトに感知することができる。
【００２６】
ハンドルノブを挟持した指で魚の当たりを的確に感知することができるので、従来のようにハンドルノブに対して好感度部材を用いる必要がない。これにより、ハンドルノブの重量の軽減を図ることができ、ハンドルノブの重量の軽減に伴うハンドル軸周りの慣性力を低減することが可能となる。したがって、その慣性力によってハンドルが回転し続けようとする力を小さくすることができ、感度を向上させることができる。
【図面の簡単な説明】
【００２７】
【図１】本発明の第１実施形態に係る魚釣用リールのハンドルが適用される魚釣用リールを示した上面図である。
【図２】ハンドルノブを挟持した際の様子を示す説明図である。
【図３】（ａ）はハンドルノブの平面図、（ｂ）は図３（ａ）のＢ１−Ｂ１端面図、（ｃ）は図３（ａ）のＣ１−Ｃ１断面図である。
【図４】本発明の第２実施形態に係る魚釣用リールのハンドルのハンドルノブを示す図であり、（ａ）は平面図、（ｂ）は図４（ａ）のＢ２−Ｂ２端面図、（ｃ）は図４（ａ）のＣ２−Ｃ２断面図、（ｄ）は貫通孔の傾斜部（口縁）に指が触れている状態を示した断面図である。
【図５】本発明の第３実施形態に係る魚釣用リールのハンドルのハンドルノブを示す図であり、（ａ）は平面図、（ｂ）は図５（ａ）におけるＢ３−Ｂ３断面図である。
【図６】変形例のハンドルノブを示す平面図である。
【図７】本発明の第４実施形態に係る魚釣用リールのハンドルのハンドルノブを示す図であり、（ａ）は平面図、（ｂ）は図７（ａ）におけるＡ４−Ａ４断面図、（ｃ）は図７（ａ）におけるＢ４−Ｂ４断面図である。
【図８】変形例のハンドルノブを示す断面図である。
【図９】本発明の参考例に係る魚釣用リールのハンドルのハンドルノブを示す図であり、（ａ）は平面図、（ｂ）は図９（ａ）におけるＢ５−Ｂ５断面図である。
【発明を実施するための形態】
【００２８】
以下、本発明に係る魚釣用リールのハンドルおよびハンドルノブの実施形態について図面を参照しながら説明する。なお、以下の説明において、「前後」「左右」を言うときは、図１に示した方向を基準とする。なお、説明において、同一の要素には同一の符号を用い、重複する説明は省略する。
【００２９】
（第１実施形態）
図１に示すように、魚釣用リールのリール本体１は、側部フレームとしての左右フレーム２ａ，２ｂと、これら左右フレーム２ａ，２ｂに装着される左右側板３ａ，３ｂと、を備えている。左右フレーム２ａ，２ｂは、複数の図示しない支柱を介して一体化されており、下方の支柱には、図示しない釣竿のリールシートに装着されるリール脚１ａが設けられている。
【００３０】
左右フレーム２ａ，２ｂ（左右側板３ａ，３ｂ）間には、スプール軸５ｃが軸受５ａ，５ｂを介して回転可能に支持されており、このスプール軸５ｃには、釣糸が巻回されるスプール５が取り付けられている。
スプール５は、ハンドル２０を回転操作することによって回転させることができるように構成されており、ハンドル２０は、右側板３ｂから突出したハンドル軸７の端部に取り付けられている。ハンドル軸７は、軸受７ａ，７ｂを介して回転可能に支持されている。ハンドル２０の詳細は後記する。
【００３１】
右フレーム２ｂと右側板３ｂとの間には、駆動歯車１１が設けられている。駆動歯車１１は、ハンドル軸７に回転自在に支持されており、ハンドル２０の回転運動をスプール軸５ｃ側に伝達する。駆動歯車１１には、スプール５に所定のドラグ力を付与する公知のドラグ機構１２が収容されている。ドラグ機構１２は、魚釣時にスプール５から釣糸が繰り出された際に、スプール５に所定のドラグ力を付与するようになっており、駆動歯車１１に当接する図示しない複数の摩擦板を備えている。このようなドラグ機構１２は、ハンドル軸７の端部に配設された操作部材１３を回動操作することで、駆動歯車１１に対する圧接力が調節されるようになっており、スプール５に対するドラグ力が調節されるように構成されている。
【００３２】
駆動歯車１１には、クラッチ機構１４の一部を構成する動力伝達部材としてのピニオン１５が噛合している。このピニオン１５は、駆動歯車１１の回転をスプール５（スプール軸５ｃ）に伝達する部材であり、右フレーム２ｂに設けられた図示しない軸受と右側板３ｂに設けられた軸受６を介して回動可能に支持されている。また、スプール軸５ｃの端部には、ピニオン１５内に挿通される押圧軸１５ａの端部が当接している。押圧軸１５ａは、右側板３ｂに設けた調節ツマミ６ａを回転操作することで軸方向に移動する。
【００３３】
ピニオン１５は、クラッチ機構１４の可動部材１５ｂによってスプール５側に移動可能であり、移動によりスプール軸５ｃの端部に嵌合することで、駆動力の伝達許容状態（クラッチオン位置）となる。また、ピニオン１５が可動部材１５ｂによって右側板３ｂ側に移動され、スプール軸５ｃの端部との嵌合が解除されると、駆動力の伝達不可状態（クラッチオフ位置）となる。
【００３４】
したがって、駆動力の伝達許容状態において、スプール５は、スプール軸５ｃ、ピニオン１５、駆動歯車１１、およびハンドル軸７を介してハンドル２０に機械的に接続されている。
【００３５】
なお、クラッチ機構１４は、リール本体１の後部から後方へ突出する操作レバー８の押圧操作等に連動して作動するように構成されている。
【００３６】
一方、駆動歯車１１には、スプール５の前方に配置された図示しない釣糸案内装置の駆動ギヤが噛合しており、ハンドル２０の巻き取り操作によって、釣糸案内装置の釣糸ガイド９が図中左右に往復動されるように構成されている。これにより、スプール５に釣糸が平行に巻回されるようになっている。
【００３７】
ハンドル２０は、図１に示すように、ハンドル軸７に取り付けられたアーム部２１と、アーム部２１の端部２１ａ，２１ａに止着された金属製の支軸２２と、支軸２２に回転自在に取り付けられたハンドルノブ２３，２３と、を備えて構成されている。
使用時には、例えば、図２に示すように、一方のハンドルノブ２３を指で挟持してハンドル２０を回転操作する。ハンドル２０を回転操作すると、回転力がハンドル軸７を通じて駆動歯車１１に伝達され、駆動歯車１１からピニオン１５を通じてスプール軸５ｃに伝達されてスプール５が回転する。
【００３８】
支軸２２は、その基端部の小径部２２ｄがアーム部２１の端部２１ａに止着されており、アーム部２１の側方へ向けて回転不能に突設されている。具体的に、図３（ｃ）に示すように、支軸２２は、その小径部２２ｄが端部２１ａの透孔２１ｂに挿入または圧入され、鍔部２２ｂが端部２１ａの側部に当接された状態で、一端部２２ａがカシメられて端部２１ａに固定されている。
支軸２２は、振動伝達性の高い金属、例えば、チタン合金、鉄系合金（バネ鋼、ステンレス鋼等）等が特に好ましく、アルミ合金、ＦＲＰ等を用いてもよく、必要に応じ適宜な表面処理を施したもの等によって形成されている。
【００３９】
ハンドルノブ２３は、軸受２５ａ，２５ｂを介して支軸２２に挿通支持され、支軸２２の先端部のねじ穴２２ｅにねじ２６を螺合することで、支軸２２に抜け止め保持されている。なお、ねじ２６の頭部は、ハンドルノブ２３の端面２３ｆに形成された凹溝２３ｅ内に収容されている。また、鍔部２２ｂとハンドルノブ２３との間には、ワッシャー２２ｃが装着されている。
【００４０】
ハンドルノブ２３は、上面と下面との対向する２面間の厚みが薄く形成されており、指（例えば親指と人指し指）で摘み易い扁平形状とされている（図３（ｃ）参照）。ハンドルノブ２３は、ウレタンや軟質塩化ビニル（ＰＶＣ）等の軟質樹脂、コルク材（樹脂フィルム状の保護皮膜を外装に被覆）、ゴム材等に選って形成されている。また、ＡＢＳやＰＣ等の硬質樹脂やアルミ合金、マグネシウム合金等の軽金属を用いてもよい。
なお、本実施形態では、ハンドルノブ２３の略全体が手の指に挟持される挟持部として機能する例を示したが、一部分が挟持部として機能するハンドルノブであってもよい。
【００４１】
ハンドルノブ２３には、この扁平とされた上面と下面との間を貫通するように、凹部としての貫通孔２４が形成されている。貫通孔２４は、図３（ｃ）に示すように、支軸２２と直交する方向に貫通する縦孔であり、図３（ａ）に示すように、平面視で略楕円形状を呈している。貫通孔２４内には、支軸２２が露出する状態に配置されており、ハンドルノブ２３を挟持する指で支軸２２を直接触れることが可能となっている。
貫通孔２４は、図３（ｂ）に示すように、開口に臨む傾斜部２４ａと、傾斜部２４ａに連続する直線部２４ｂとからなり、傾斜部２４ａを通じて、貫通孔２４内に指が挿入し易くなっている。これにより、ハンドルノブ２３を挟持する指で違和感なく支軸２２に触れることができる。
なお、貫通孔２４は、支軸２２に傾斜して交差する方向に貫通する孔であってもよい。
【００４２】
ハンドルノブ２３は、図３（ａ）に示すように、端部２１ａに近い側２３ａが端部２１ａから離れる側２３ｂよりも幅狭に形成されており、また、図３（ｃ）に示すように、端部２１ａに近い側２３ａが端部２１ａから離れる側２３ｂよりも細く（薄く）形成されている。また、中央部２３ｈが凹んだ形状となっている。これにより、ハンドルノブ２３を挟持する指で貫通孔２４（貫通孔２４の傾斜部２４ａ）を上下方向から好適に保持することができる。
【００４３】
本実施形態によれば、ハンドルノブ２３を挟持する指で、ハンドルノブ２３の貫通孔２４内に露出している支軸２２を直接触れることができるので、ハンドル２０の回転操作時等に、ハンドル軸７からアーム部２１に伝わる魚の当たり等の振動を、ハンドルノブ２３を挟持した指で支軸２２を通じてダイレクトに感知することができる。
【００４４】
ハンドルノブ２３を挟持した指で魚の当たりを的確に感知することができるので、従来のようにハンドルノブ２３に対して好感度部材を用いる必要がない。これにより、ハンドルノブ２３の重量の軽減に伴うハンドル軸７周りの慣性力を低減することが可能となる。したがって、その慣性力によってハンドルが回転し続けようとする力を小さくすることができ、感度を向上させることができる。
【００４５】
また、貫通孔２４を通じて支軸２２を指で直接触れることができ、貫通孔２４の傾斜部２４ａ（口縁）に指を添えつつ支軸２２を指で直接触れながらハンドル２０の回転操作等を行うことができるので、ハンドル２０の操作性や保持性に優れるとともに、支軸２２を通じて伝わってくる魚の当たり等の振動を、ハンドルノブ２３を挟持した指でダイレクトに感知することができる。
【００４６】
また、貫通孔２４によりハンドルノブ２３の重量の軽減を図ることができ、ハンドル軸７周りの慣性力を低減することが可能となる。したがって、その慣性力によってハンドルが回転し続けようとする力を小さくすることができ、感度を向上させることができる。
【００４７】
（第２実施形態）
図４を参照して第２実施形態の魚釣用リールのハンドル２０を説明する。本実施形態が前記第１実施形態と異なるところは、図４（ｂ）（ｃ）に示すように、ハンドルノブ２３が、より薄い扁平形状とされており、図４（ｄ）に示すように、支軸２２に直交する方向の断面における、貫通孔２４の傾斜部２４ａ（内側部）と支軸２２の外面２２ｈとの位置関係が、指の腹Ｙ２の曲面に対応したものとなっている（図３（ｄ）参照）。
【００４８】
ハンドルノブ２３は、図４（ａ）に示すように、平面形状が第１実施形態で示したものと同様であるが、図４（ｃ）に示すように、上下方向により薄い扁平形状とされている。
ここで、ハンドルノブ２３の最薄部（略中央部）の厚さをｈ、支軸２２の直径をＤ１としたときに、これらの関係が、Ｄ１＜ｈ≦２Ｄ１  となるように設定されている。
【００４９】
このように設定されることによって、より感知し易くするために、よりソフトにハンドルノブ２３を指で挟持したときに、図４（ｄ）に示すように、貫通孔２４の傾斜部２４ａ（口縁）に指が触れている状態で、指の腹Ｙ２が支軸２２の外面２２ｈに強く押圧することなくソフトに触れる状態となる。つまり、第１実施形態に比べ指を強く押し潰さなくてもソフトに支軸２２に触れられるので、指の感度を良好な状態（指の変形が大きくなると痺れたり、血行が悪くなったりして触感が低下する）で感知することができる。
【００５０】
なお、一般に、大人の指の腹Ｙ２の曲率半径Ｒは、およそ１５〜３０ｍｍであり、ハンドルノブ２３を挟持したときに指の腹Ｙ２が平らに近付く状態になることから、貫通孔２４の傾斜部２４ａ（内側部）と支軸２２の外面２２ｈとの位置関係は、曲率半径Ｒが１５〜１２０ｍｍの範囲に設定されることが好ましい。
【００５１】
本実施形態によれば、貫通孔２４の傾斜部２４ａと支軸２２の外面２２ｈとの位置関係が、指の腹Ｙ２の曲面に対応したものとなっており、ハンドルノブ２３をソフトに挟持しながらソフトに支軸２２に触れることができるので、支軸２２を通じて指に伝わる魚の当たり等の振動をより的確に感知することができる。
【００５２】
（第３実施形態）
図５を参照して第３実施形態の魚釣用リールのハンドル２０を説明する。本実施形態が前記第１，２実施形態と異なるところは、図５（ａ）（ｂ）に示すように、ハンドルノブ２３に孔部２６ａ，２６ａが設けられている点にある。
【００５３】
孔部２６ａ，２６ａは、ハンドルノブ２３を上下方向に貫通する孔であり、支軸２２の両側部に形成されている。
貫通孔２４は、第１，第２実施形態で説明したものよりも横断面が小さく形成されているが、ハンドルノブ２３を挟持する指で違和感なく支軸２２に触れることができる大きさ（開口）を有している。
【００５４】
本実施形態によれば、貫通孔２４および孔部２６ａ，２６ａによりハンドルノブ２３の重量の軽減を図ることができ、ハンドル軸７周りの慣性力を好適に低減することが可能となる。したがって、その慣性力によってハンドルが回転し続けようとする力を小さくすることができ、感度を向上させることができる。
また、本実施形態によれば、貫通孔２４を端部２１ａに近い側に偏らせて設けているので、支軸２２の軸方向において、指で峡持する位置を変えることで、感知しながらハンドル２０を巻いたり、感知することなくハンドル２０を巻いたりする等、適宜、釣りのシーンに応じて使い分けることが可能となる。
【００５５】
なお、図６に示すように、孔部２６ａ，２６ａに代えて、ハンドルノブ２３の端面２３ｆに開口を有する孔部２７，２７を、支軸２２の軸方向に沿うようにして設けてもよい。
【００５６】
（第４実施形態）
図７を参照して第４実施形態の魚釣用リールのハンドル２０を説明する。本実施形態が前記第１，２実施形態と異なるところは、図７（ａ）〜（ｃ）に示すように、ハンドルノブ２３の片面に凹部２４が形成されており、この凹部２４内に、ハンドルノブ２３を挟持する指に直接接触するように支軸２２が露出している点にある。
【００５７】
凹部２４は、傾斜部２４ａと、直線部２４ｂと、直線部２４ｂに連続する底部２４ｃと、を有しており、有底状を呈している。底部２４ｃには、支軸２２に対応して断面半円状の支軸溝２４ｅが形成されている。凹部２４内には、断面半円状に支軸２２が露出している。
【００５８】
本実施形態によれば、ハンドルノブ２３の片面に凹部２４が形成されており、ハンドルノブ２３を挟持する一方の指（親指または人指し指）でハンドルノブ２３の貫通孔２４内に露出している支軸２２を直接触れることができるので、ハンドル２０の回転操作時等に一方の指に神経を集中させて魚の当たりを感知することができる。
【００５９】
また、ハンドルノブ２３の片面にのみ凹部２４が形成されているので、ハンドルノブ２３の慣性力の低減を図りつつハンドルノブ２３の強度を向上させることができる。特に、強度を高くすることができるので、材料に、ウレタンや軟質塩化ビニル（ＰＶＣ）等の軟質樹脂、コルク材（樹脂フィルム状の保護皮膜を外装に被覆）、ゴム材等を使用した場合に特に有益である。
また、ハンドルノブ２３の他面２３ｊには、凹部２４が設けられていないので、挟持感が高まり、巻き取り操作を軽快に行うことができる。
【００６０】
また、ハンドルノブ２３は、図８に示すように、両面から有底の凹部２４，２４を設け、支軸２２の両側に底部２３ｇ，２３ｇを設けてもよい。
このように構成することで、ハンドルノブ２３の剛性が高まることとなる。また、底部２３ｇ，２３ｇを有しているので、凹部２４，２４内において、指の収まりがよい。
【００６１】
（参考例）
図９を参照して参考例の魚釣用リールのハンドル２０を説明する。本参考例では、図９（ａ）（ｂ）に示すように、支軸２２に一体的に螺合されたねじ２６を、ハンドルノブ２３の軸方向延出端（端面２３ｆ）から露出させた構成としてある。
【００６２】
ねじ２６は、その頭部がハンドルノブ２３の端面２３ｆから突出しており、ハンドルノブ２３を挟持する指で直接触れることが可能となっている。
なお、ハンドルノブ２３の上下面には、窪み部２３ｋが形成されているのみであるが、前記実施形態で説明したような貫通孔２４（凹部）を形成してもよい。
【００６３】
本参考例によれば、ハンドルノブ２３を挟持する指で、ハンドルノブ２３の軸方向延出端に露出しているねじ２６（支軸２２）を直接触れることができるので、ハンドル２０の回転操作時等に支軸２２を通じて伝わってくる魚の当たりを、ハンドルノブ２３を挟持した指でダイレクトに感知することができる。
【００６４】
なお、前記第３実施形態で示したような孔部２６ａ，２６ａや孔部２７，２７を設けて、ハンドル軸７周りの慣性力を低減するようにしてもよい。
【００６５】
なお、前記実施形態で示したハンドルノブ２３の外観形状や、貫通孔２４（凹部２４）の形状は任意の形状とすることができる。
【００６６】
また、前記参考例において、ハンドルノブ２３の軸方向延出端にねじ２６を露出させたが、支軸２２を直接露出させてもよい。
また、ハンドルノブ２３の基端側に支軸２２を露出させて、ハンドルノブ２３を挟持する指で支軸２２を直接触れることができるように構成してもよい。
【００６７】
また、前記第１実施形態から第４実施形態において、支軸２２は、貫通孔２４内や凹部２４内に露出するものを示したが、これに限られることはなく、貫通孔２４内や凹部２４内から貫通孔２４外や凹部２４外に露出（膨出）するように構成してもよい。
また、前記第１実施形態から第４実施形態において、ハンドルノブ２３の軸方向延出端の凹溝２３ｅ内から凹溝２３ｅ外へねじ２６を膨出させてもよい。
【符号の説明】
【００６８】
１      リール本体
７      ハンドル軸
２０    ハンドル
２１    アーム部
２１ａ  端部
２２    支軸
２３    ハンドルノブ
２４    貫通孔（凹部）
Ｙ２    指の腹
【図１】
0005739798.tif 000002
【図２】
0005739798.tif 000003
【図３】
0005739798.tif 000004
【図４】
0005739798.tif 000005
【図５】
0005739798.tif 000006
【図６】
0005739798.tif 000007
【図７】
0005739798.tif 000008
【図８】
0005739798.tif 000009
【図９】
0005739798.tif 000010